(57)【特許請求の範囲】
【請求項１】
ワークトップと、ワークトップ上方に設けた吊戸棚と、前記ワークトップと吊戸棚との間に配置され、平板状の棚板を有する収納棚と、この収納棚の上方に位置するように吊戸棚に配置した照明手段と、上記収納棚の下部に移動自在に設けた物品収納体とを具備し、前記棚板および物品収納体は光透過材で構成した厨房装置。
【請求項２】
収納棚は吊戸棚の下部にスライドまたは着脱自在に設けた請求項１記載の厨房装置。
【発明の詳細な説明】
【０００１】
【発明の属する技術分野】
本発明は流し台等のワークトップとその上方の吊戸棚とそれらの間に設けた収納棚とからなる厨房装置に関するものである。
【０００２】
【従来の技術】
従来この種の厨房装置は、図６に示したように流し台等のワークトップ１とその上方に設けた吊戸棚２とで構成してあるが、収納スペースの確保から、更に上記ワークトップ１と吊戸棚２との間に棚３を設けたものが見られるようになってきた。この棚３はＬ字取付具４によってワークトップ１と吊戸棚２との間に位置する後壁面に取り付けてある。
【０００３】
【発明が解決しようとする課題】
しかしながら上記従来の棚３はその上に小物を置くだけの活用しかできなく、ワークトップ１と吊戸棚２との間の空間を収納空間として十分に活用することができなかった。また、上記棚３は木材等の不透明材料で形成されており、吊戸棚２下部に設けてある照明手段５の光を遮り、棚３の下方が暗くなってこの棚３下方での作業性を損なう問題があった。更に、このような問題を解決すべく照明手段５を棚３の下部に設けると、この場合は棚３の上が暗くなると共に、この棚３に電気配線を引き回す必要が生じ、施工性や外観が悪くなるという課題があった。
【０００４】
本発明は上記従来の課題を解決するもので、ワークトップと吊戸棚との間に設けた棚の収納性やその下方の作業性を向上させることを目的としたものである。
【０００５】
【課題を解決するための手段】
本発明は上記課題を解決するため、ワークトップと吊戸棚との間に位置する収納棚の下部に物品収納体を取り付け可能としたものであり、収納性が向上する。
【０００６】
また吊戸棚の下部に照明手段を設けると共に収納棚は光を透過する構成としたものであり、一つの照明手段で収納棚上下部の明るさを確保することができる。
【０００７】
【発明の実施の形態】
本発明の厨房装置は、ワークトップと、ワークトップ上方に設けた吊戸棚と、前記ワークトップと吊戸棚との間に配置され、平板状の棚板を有する収納棚と、この収納棚の上方に位置するように吊戸棚に配置した照明手段と、上記収納棚の下部に移動自在に設けた物品収納体とを具備し、前記棚板および物品収納体は光透過材で構成した。したがって、収納棚下部にも物品を収納でき、また、吊戸棚に設けた照明手段一つで収納棚上下部の明るさを確保することができる。
【０００８】
収納棚を吊戸棚の下部にスライドまたは着脱自在に設ければ、さらなる使い勝手の向上が期待できる。
【０００９】
以下本発明の実施例を図面と共に説明する。
【００１０】
（実施例１）
図１〜図４は本発明の実施例１を示し、１１は流し台、１２はそのワークトップ、１３はワークトップ１２の上方に位置する吊戸棚である。１４は上記吊戸棚１３の下面に設けたレールユニットで、前後２箇所にレール部１５が設けてある。
【００１１】
１６は吊戸棚１３の下面に設けた蛍光灯等の照明手段で、上記レールユニット１４の前後レール部１５間に位置するように設けてあり、レール部１５間に嵌め込んだアクリルカバー等の光透過性のカバー１６ａで覆ってある。１７はコ字状のアームで、その上片に取り付けたスライダー１８を前記吊戸棚１３下面のレールユニット１４のレール部１５にスライドかつ着脱自在に装着してある。１９は上記アーム１７の下片に取り付けた収納棚で、前記ワークトップ１２と吊戸棚１３との間に位置し、アーム１７を介して左右方向へスライド自在となっている。
【００１２】
上記収納棚１９は図３、図４に示すようにアーム１７に一体化した前後の外枠２０間に棚板２１を嵌合して構成してあり、この棚板２１はアクリル板等の光透過性の合成樹脂材等で形成し、そして上記外枠２０にはその下部に支持手段となるガイド部２２が一体形成してある。
【００１３】
２３は上記ガイド部２２に装着した引き出しユニットで、物品収納体となるものであり、ユニット後部の凸部２３ａを後ガイド部２２に嵌装し、前部にスプリング２４を介して設けた出没自在なピン２５を前ガイド部２２に嵌装させてスライドかつ着脱自在としてある。２６は上記引き出しユニット２３のトレイで、前方向へスライドかつ着脱自在に設けてあり、引き出しユニット２３とともに光透過性の樹脂材料で形成してある。
【００１４】
また、前記収納棚１９の外枠ガイド部２２には物品支持体としてのマナイタフック２７を係止させる係止部２８が設けてある。２７ａは上記マナイタフック２７に支持させたマナイタである。
【００１５】
上記構成において、収納棚１９はその外枠２０のガイド部２２に引き出しユニット２３を支持させてあるので、従来と同様上面に物品を載置する事ができると共に、下面もガイド部２２に支持させた引き出しユニット２３のトレイ２６内に小物を収納する等して活用することができ、またガイド部２２の係止部２８に係止したマナイタフック２７にマナイタ等の物品を保持させることもできる等、従来の棚に比べより多くの物品を収容する事ができる。
【００１６】
また、上記収納棚１９は光透過性の材料で形成してあるので吊戸棚１３下面に設けた照明手段１６は収納棚１９の上面を照らすと共にこの収納棚１９の下方も照らすことができ、ワークトップ１２上の明るさを確保してその作業性を向上させることができる。そして照明手段１６を収納棚１９に設ける必要がないので、収納棚１９に電気配線を施す必要がなく、外観上の見栄えも良好なものとすることができる。
【００１７】
更に、上記収納棚１９は吊戸棚１３下面のレール部１５に沿って任意の場所にスライド移動させたり、場合によっては取り外すこともでき、そして上記収納棚１９下面に設けた引き出しユニット２３や係止部２８に係止させたマナイタフック２７は収納棚１９下面のガイド部２２に沿って左右にスライドさせることができ、しかもトレイ２６は手前側へ引き出し取り外すことができる。
【００１８】
従って、この収納棚１９及び引き出しユニット２３、マナイタフック２７はワークトップ１２上での作業内容に応じて最適な位置に移動させて使用することが可能となり、また使用者の使い勝手に応じて任意に着脱することもでき、作業性や使い勝手を一段と向上させることができる。
【００１９】
なお、引き出しユニット２３は図４に示す如くスプリング２４に抗して手前側にずらせば後凸部２３ａがガイド部２２からはずれるので容易に取
り外すことができる。
【００２０】
また、引き出しユニット２３、またはマナイタフック２７に収納もしくは支持した物品が不透明で大きな物である場合や、トレイ２６を不透明材料で形成した場合においては、引き出しユニット２３またはマナイタフック２７をガイド部２２に沿ってスライド移動させることにより照明手段１６からの光を収納棚１９下方へ透過させて収納棚１９下方の明るさを確保することができる。
【００２１】
（実施例２）
図５は本発明の実施例２を示し、前記実施例１と同一部分には同一符号を付記して説明は省略し、異なる部分のみ説明する。
【００２２】
図５において、ワークトップ１２は水槽２９を有すると共に、収納棚１９の棚板２１は多孔板材料で形成してある。
【００２３】
この実施例２によれば、照明手段１６からの光は収納棚１９の孔部を透過して収納棚１９下方を照らすことができると共に、この収納棚１９は水切り棚としても使用することができるようになり、収納棚１９の上方及び下方の明るさを確保しつつ使い勝手を一段と向上させることができる。
【００２４】
なお、実施例２において、棚板２１の材料としては多孔板以外にメッシュ金網、金属線材等が考えられ、水と光を透過させるものであればどのようなものでも良い。
【００２５】
また、前記各実施例において、物品収納体として引き出しユニットを例示したが、これは蓋付き収納箱、開口収納箱等、物品が収納できるものであればどのようなものであってもよく、また物品支持体としてマナイタフックを例示したが、これもふきんかけ、ペーパーホルダー等、物品を支持するものであればどのようなものであっても良いものである。
【００２６】
以上各実施例の技術的意義は以下の通りである。
【００２７】
（１）収納棚下部を収納スペースとして利用でき、収納性が向上する。
【００２８】
（２）また、吊戸棚下部に設けた照明手段一つで収納棚上下部の明るさを確保することができ、収納棚下部の手元作業性を向上させることができるとともに、照明手段を収納棚に設けることなく吊戸棚下部に設ければよいので施工性が向上すると共に外観的にも見栄えの良いものとなる。
【００２９】
（３）収納棚下部を収納スペースとして利用でき、収納性が向上するとともに、収納棚上下部の明るさを確保して作業性を向上させ、かつ照明手段を収納棚に設けることなく吊戸棚下部に設ければよいので施工性や見栄えが良くなる。
【００３０】
（４）収納棚に物品収納体を設けても収納棚下部の明るさを確保することができる。
【００３１】
（５）使用者が作業位置を移しても収納棚自体を都合の良い位置にスライド移動または取り外して使用することができ、使い勝手が向上する。
【００３２】
（６）物品収納体または物品支持体も任意の位置にスライド移動または取り外すことができ、物品収納体または物品支持体に支持させた物品によって照明手段からの光が遮られるようなことがあっても物品収納体または物品支持体を移動させることによって手元作業の明るさを確保することができて使い勝手が向上する。
【００３３】
（７）収納棚をワークトップの水槽上に移動させればこの収納棚は水切り棚としても使用でき、更に使い勝手が向上する。
【００３４】
【発明の効果】
このように本発明の厨房装置によれば、ワークトップと吊戸棚との間の空間を活用して物品等の合理的な収納が可能となり、しかも、吊戸棚に設けた照明手段で収納棚上下部の明るさを確保することができ、収納棚下部の手元作業性を向上させることができるものである。
【図面の簡単な説明】
【図１】  本発明の実施例１における厨房装置の斜視図
【図２】  同厨房装置の照明及び収納棚アームの取付部分を示す断面図
【図３】  同厨房装置の収納棚を示す断面図
【図４】  同収納棚の取り外し時の断面図
【図５】  本発明の実施例２における厨房装置の斜視図
【図６】  従来の厨房装置の斜視図
【符号の説明】
１２  ワークトップ
１３  吊戸棚
１６  照明手段
１９  収納棚
２１  棚板
２２  支持手段（ガイド部）
２３  物品収納体（引き出しユニット）
２７  物品支持体（マナイタフック）
【図１】
0003758256.tif 000002
【図２】
0003758256.tif 000003
【図３】
0003758256.tif 000004
【図４】
0003758256.tif 000005
【図５】
0003758256.tif 000006
【図６】
0003758256.tif 000007